【手続補正書】
【提出日】平成19年2月6日(2007.2.6)
【手続補正１】
【補正対象書類名】明細書
【補正対象項目名】００５５
【補正方法】変更
【補正の内容】
【００５５】
一方、米国のテレビ放送番組のＣＭ開始点、ＣＭ終了点は、前述したように、対応する位置に、映像信号に複数フィールドに渡る黒区間が存在するという特徴から、先ず、当該黒区間をテレビ映像信号から検出することにより検出することが可能となる。すなわち、テレビ映像信号から黒区間を検出し、検出した黒区間の間隔が、ＣＭ区間の特徴である１５秒の整数倍となっているところを判別し、その判別結果からＣＭ開始点、ＣＭ終了点を検出することができる。
【手続補正２】
【補正対象書類名】明細書
【補正対象項目名】００６３
【補正方法】変更
【補正の内容】
【００６３】
図４は、日本のテレビ放送番組のＣＭ区間と番組本編と、テレビ音声信号との関係を示すものである。この図４に示されるように、日本の放送番組においては、ＣＭの開始点および終了点では、複数フィールドに渡る区間長の無音区間ｍ1、ｍ２、ｍ３、・・・が存在することが分かっている。また、ＣＭ区間の時間長ｔ１、ｔ２、・・・は、例えば１５秒の整数倍となることが知られている。
【手続補正３】
【補正対象書類名】明細書
【補正対象項目名】００９４
【補正方法】変更
【補正の内容】
【００９４】
映像エンコード処理部９では、ＭＰＥＧビデオやウェーブレット変換などの所定の帯域圧縮方式でデータ圧縮処理が行われる。そして、データ圧縮処理された映像データは、多重化処理部５に供給されて、圧縮音声データと多重化され、記録処理部６を通じて内蔵の記録媒体７に記録される。また、ユーザーが内蔵の記録媒体７ではなく、着脱可能な記録媒体１１への記録を指示している場合には、記録処理部６は、システムコントローラ部３０からの制御信号に応じて、多重化処理部５からの多重化データを、記録媒体処理部１２を通じて記録媒体１１に記録するようにする。
【手続補正４】
【補正対象書類名】明細書
【補正対象項目名】０１６７
【補正方法】変更
【補正の内容】
【０１６７】
そして、システムコントローラ部３０は、生成されたプレイリストデータを受けて、ユーザーの指示入力による特殊再生モードに応じて、上記プレイリストデータに基づいた所定の再生をするように再生制御部２２を制御し、その制御により記録媒体７または記録媒体１１を再生制御して、特殊再生モードを実行する（ステップＳ６）。
【手続補正５】
【補正対象書類名】明細書
【補正対象項目名】０１６８
【補正方法】変更
【補正の内容】
【０１６８】
例えば、ダイジェスト再生モードがユーザーにより指定された場合には、システムコントローラ部３０は、ユーザー入力による所定の要約再生時間に応じて、上記プレイリストデータに基づいた所定の再生区間を順次再生（スキップ再生）するように再生制御部２２を制御するようにする。
【手続補正６】
【補正対象書類名】明細書
【補正対象項目名】０１６９
【補正方法】変更
【補正の内容】
【０１６９】
また、チャプターデータが生成されると、システムコントローラ部３０は、ユーザー入力による所定のチャプター関連動作モードに応じて、上記チャプターデータに基づいた所定のチャプター時点の画像サムネール表示、チャプター点のカットや接続などの編集処理、ユーザー選択したチャプター点のスキップ再生など、所定チャプター関連動作が行なえるように再生制御部２２をコントロールし、その制御により記録媒体７や１１を再生制御したり、表示処理部３３に対する表示制御をしたりする。
【手続補正７】
【補正対象書類名】明細書
【補正対象項目名】０１７９
【補正方法】変更
【補正の内容】
【０１７９】
そして、システムコントローラ部３０は、生成されたプレイリストデータを受けて、ユーザーの指示入力による特殊再生モードに応じて、上記プレイリストデータに基づいた所定の再生をするように再生制御部２２を制御し、その制御により記録媒体７または記録媒体１１を再生制御して、特殊再生モードを実行する（ステップＳ６）。
【手続補正８】
【補正対象書類名】明細書
【補正対象項目名】０２８２
【補正方法】変更
【補正の内容】
【０２８２】
輝度特徴信号処理部４２は、映像エンコード処理部９からのデータから、輝度信号成分を検出し、前述した画面分割処理、信号レベル変換処理、ヒストグラム処理、スコア変換処理その他を行なう。
【手続補正９】
【補正対象書類名】明細書
【補正対象項目名】０２８３
【補正方法】変更
【補正の内容】
【０２８３】
色差特徴信号処理部４３は、映像エンコード処理部９からのデータから、色差信号成分を検出し、前述した画面分割処理、信号レベル変換処理、ヒストグラム処理その他を行なう。
【手続補正１０】
【補正対象書類名】明細書
【補正対象項目名】０２８４
【補正方法】変更
【補正の内容】
【０２８４】
輝度特徴信号処理部４２の出力および色差特徴信号処理部４３の出力は、雑音補正処理部４４に供給されて、前述したような雑音補正処理がなされ、それぞれ黒区間検出判定処理部４５に供給される。
【手続補正１１】
【補正対象書類名】明細書
【補正対象項目名】０３１２
【補正方法】変更
【補正の内容】
【０３１２】
例えば、ｔ＝２とすると、変動しきい値Ａｔｈｍは、図２７の（式１２）のように表すことができる。例えば、ｍは、おおよそ、２０〜２くらいの範囲から設定することが考えられる。
【手続補正１２】
【補正対象書類名】明細書
【補正対象項目名】０３２０
【補正方法】変更
【補正の内容】
【０３２０】
サブバンド解析処理部４１２では、所定のサブバンド解析処理が行なわれ、所定のサブバンド帯域のデータは、上記（式１０）〜（式１２）で説明したのと同様の信号処理が行なわれる。
【手続補正１３】
【補正対象書類名】明細書
【補正対象項目名】０３６０
【補正方法】変更
【補正の内容】
【０３６０】
Ｄ１〜Ｄ５は、それぞれ、特徴抽出用データを記憶するバッファメモリで、バッファメモリＤ１〜Ｄ５によりリングバッファ５３を構成している。この例では、前述の第１の例とは異なり、バッファメモリＤ１〜Ｄ５はシフトレジスタを構成してはおらず、入力データである特徴抽出用データは、特徴抽出用データサンプルが一つ入力される毎に、スイッチ回路５４により切り替えられてリングバッファ５３に供給される。これにより、特徴抽出用データが入力されるバッファメモリは、バッファメモリＤ１→Ｄ２→Ｄ３→Ｄ４→Ｄ５→Ｄ１・・・というように、順次変えられ、リング状に順番に移動する。
【手続補正１４】
【補正対象書類名】明細書
【補正対象項目名】０３６１
【補正方法】変更
【補正の内容】
【０３６１】
５個のバッファメモリＤ１〜Ｄ５の全てに特徴抽出用データが格納されると、これらバッファメモリＤ１〜Ｄ５に記憶されたデータは、前述の第１の例の場合と同様に、比較処理部５２で前述のような比較処理が行われ、その比較結果に応じて補正処理部５１で前述と同様の補正処理が行われる。比較処理部５２および補正処理部５１での信号処理は、前述の第１の例で説明した処理と同様なので、ここでは詳細は省略する。
【手続補正１５】
【補正対象書類名】明細書
【補正対象項目名】０３６４
【補正方法】変更
【補正の内容】
【０３６４】
前記所定時間分ｔａは、前述のフィルタ処理におけるバッファメモリ数に対応するもので、図６、図１９および図２０の特性を考慮した所定時間分ｔａ、例えばｔａ＝５フィールド分とされる。これにより、図３５（Ｂ）に示すように、雑音があっても第１検出区間は一つとなり、雑音の影響が改善される。